(57)【要約】【課題】箱体の本体内部に手を挿入し、箱体内部に向けて高速で気流を送ることにより手を乾燥させる手乾燥装置において、無駄がなく適切な風速で運転ができる手乾燥装置を提供することを目的とする。【解決手段】手乾燥装置本体１に奥側の距離検知手段９を備え、奥側の距離検知手段９に対向した手との距離を評価手段１８で段階的に評価し、評価結果の「奥側」、「手前側」に応じて風速制御手段１０が複数列のノズル６を切り替えて、「奥側」に近い場合は、風速を速くし、「手前側」に近い場合は、風速を遅くすることができる手乾燥装置を得られる。【選択図】図２
2014144098.tif 000002
【特許請求の範囲】
【請求項１】
上部に向かって開口した挿入口から手を抜き差しできる乾燥室と、前記乾燥室内の底部の水受け部と、前記乾燥室に空気を送出する送風手段と、開口を小さくすることで風速を速くした第一のノズルと、開口を大きくすることで前記第一のノズルより風速を遅くした第二のノズルで構成し、前記挿入口の長手方向の二面であって、奥側の面と手前側の面に対向して複数列を配置して、挿入された手に空気を噴出する複数列のノズルと、前記奥側の面のノズルに合わせて配置して、前記乾燥室内に挿入された手との距離を検知する距離検知手段と、前記距離検知手段から得た距離を段階的に評価する距離判定部と、手の位置が奥側か手前側かによって、前記第一のノズルと前記第二のノズルを切り替える信号を生成する風速制御部と、奥側と手前側に備えた前記第一のノズルと前記第二のノズルを切り替えるシャッター板と、これらのシャッター板を上下逆方向に移動させる連動板を備えて前記風速制御部によって駆動される風速制御手段とを備えた手乾燥装置。
【請求項２】
前記距離判定部は、前記奥側の距離検知手段に対向した手との距離と予め設定された基準とを比較し、その結果を「奥側」、「手前側」の２段階で評価する評価手段を備え、前記風速制御手段は、前記奥側のシャッター板と、前記手前側のシャッター板と、前記連動板と、これらのシャッター板を上下逆方向に移動させる連動板を備えて、前記シャッター板によって、奥側と手前側の第一のノズルと第二のノズルの状態を逆の状態に切り替える請求項１に記載の手乾燥装置。
【発明の詳細な説明】
【技術分野】
【０００１】
本発明は、洗浄後の濡れた手に風を当てて乾燥させる手乾燥装置に関するものである。
【背景技術】
【０００２】
従来、この種の手乾燥装置は、箱体の本体内部に手を挿入し、箱体内部に向けて高速で気流を送ることにより、手を乾燥させるものが知られている（例えば、特許文献１を参照）。
【先行技術文献】
【特許文献】
【０００３】
【特許文献１】特開平１１−１７８７４４号公報
【発明の概要】
【発明が解決しようとする課題】
【０００４】
従来の手乾燥装置においては、距離によらず、同じ風速で噴出しているため、効率よく乾燥することができなかった。
【０００５】
そこで、奥側の面と手前側の面にそれぞれセンサーを配置して、挿入した手と両面のセンサーとの距離を評価し、その評価結果に応じて風速を制御し、無駄がなく、適切な風速で運転するという手乾燥装置を考えた。しかし、本体の両面にセンサーを配置しているため、コスト高という課題があった。
【０００６】
そこで本願は、上記前回の課題を解決するものであり、コストをかけずに、距離に応じて風速を制御し、適切な風速で運転することができる手乾燥装置を提供することを目的とする。
【課題を解決するための手段】
【０００７】
そして、この目的を達成するために、本発明は、上部に向かって開口した挿入口から手を抜き差しできる乾燥室と、前記乾燥室内の底部の水受け部と、前記乾燥室に空気を送出する送風手段と、開口を小さくすることで風速を速くした第一のノズルと、開口を大きくすることで前記第一のノズルより風速を遅くした第二のノズルで構成し、前記挿入口の長手方向の二面であって、奥側の面と手前側の面に対向して複数列を配置して、挿入された手に空気を噴出する複数列のノズルと、前記奥側の面のノズルに合わせて配置して、前記乾燥室内に挿入された手との距離を検知する距離検知手段と、前記距離検知手段から得た距離を段階的に評価する距離判定部と、手の位置が奥側か手前側かによって、前記第一のノズルと前記第二のノズルを切り替える信号を生成する風速制御部と、奥側と手前側に備えた前記第一のノズルと前記第二のノズルを切り替えるシャッター板と、これらのシャッター板を上下逆方向に移動させる連動板を備えて前記風速制御部によって駆動される風速制御手段とを備えた手乾燥装置としたものであり、これにより所期の目的を達成するものである。
【発明の効果】
【０００８】
本発明によれば、手乾燥装置本体に挿入された手と本体の奥側との距離を判別する距離判定部を備え、運転開始時に距離判定部で距離を段階的に評価し、評価結果によって風速を決定する。また、奥側の面にのみ距離検知手段を配置し、コストをかけずに、距離に応じて風速を制御し、適切な風速で運転させるという効果を奏する。
【図面の簡単な説明】
【０００９】
【図１】本発明の実施の形態の手乾燥装置の構成を示す図
【図２】同実施の形態の手乾燥装置の構成を示すブロック図
【図３】同実施の形態の手乾燥装置の風速制御手段の動作を示す図（（ａ）風速減少時の図、（ｂ）風速増加時の図）
【発明を実施するための形態】
【００１０】
本発明の請求項１記載の手乾燥装置は、上部に向かって開口した挿入口から手を抜き差しできる乾燥室と、前記乾燥室内の底部の水受け部と、前記乾燥室に空気を送出する送風手段と、開口を小さくすることで風速を速くした第一のノズルと、開口を大きくすることで前記第一のノズルより風速を遅くした第二のノズルで構成し、前記挿入口の長手方向の二面であって、奥側の面と手前側の面に対向して複数列を配置して、挿入された手に空気を噴出する複数列のノズルと、前記奥側の面のノズルに合わせて配置して、前記乾燥室内に挿入された手との距離を検知する距離検知手段と、前記距離検知手段から得た距離を段階的に評価する距離判定部と、手の位置が奥側か手前側かによって、前記第一のノズルと前記第二のノズルを切り替える信号を生成する風速制御部と、奥側と手前側に備えた前記第一のノズルと前記第二のノズルを切り替えるシャッター板と、これらのシャッター板を上下逆方向に移動させる連動板を備えて前記風速制御部によって駆動される風速制御手段とを備えた構成を有する。
【００１１】
これにより、奥側の距離検知手段は、手が挿入されると、手との距離を検知し、距離判定部は、奥側の距離検知手段に対向した手との距離を段階的に評価し、風速制御部は、送風手段を駆動するとともに、距離判定部の評価に基づいて生成した信号で、風速制御手段を駆動し、風速制御手段は、手の位置が奥側に近い場合は、奥側では、第二のノズルで送風し、対向する手前側では、第一のノズルで送風でき、手の位置が手前側に近い場合は、手前側では、第二のノズルで送風し、対向する奥側では、第一のノズルで送風できるため、無駄がなく、適切な風速で運転をし、効率よく乾燥し、水滴飛散の勢いを減少させるという効果を奏する。
【００１２】
また、前記奥側の距離検知手段は、同一列に配置された複数個の前記第一のノズルと、この第一のノズルより下方に同一列に配置された前記第二のノズルとで構成しているノズルに合わせて配置し、対向した手との距離と予め設定された基準とを比較し、その結果を「奥側」、「手前側」の２段階で評価する評価手段を備え、前記風速制御手段は、前記奥側のシャッター板と、前記手前側のシャッター板と、これらのシャッター板を上下逆方向に移動させる連動板と、この連動板を回動できるように中央で軸支する軸支点とを設け、前記風速制御部の生成した信号により、前記評価の結果が「奥側」に近い場合は、前記奥側のシャッター板を上げて、前記第一のノズルを閉じ、前記第二のノズルを開けて、対にした手前側では、前記軸支点に回動自在に軸支された前記連動板により、前記手前側のシャッター板が下がって、前記第一のノズルと前記第二のノズルの状態が逆の状態に切り替わって、前記評価の結果が「手前側」に近い場合は、前記奥側のシャッター板を下げて、前記第一のノズルを開け、前記第二のノズルを閉じて、対にした手前側では、前記連動板により、前記奥側のシャッター板が上がって、前記第一のノズルと前記第二のノズルの状態が逆の状態に切り替わるものである。
【００１３】
これにより、評価手段は、挿入された手との距離と予め設定された基準とを比較し、評価結果を「奥側」、「手前側」に評価し、この評価に応じて、風速制御部の生成した信号によって駆動される風速制御手段が風速を制御するため、挿入された手とそれに合わせた奥側の距離検知手段との距離が奥側に近い場合では、風速を遅くし、対にした手前側では、連動板の作用によって、風速を速くし、奥側に遠い場合では、風速を速くし、対にした手前側では、連動板の作用によって、風速を遅くすることにより、無駄がなく、適切な風速で運転をし、効率よく乾燥し、水滴飛散の勢いを減少し、そして、奥側のみ距離検知手段を配置するため、コストを低減させるという効果を奏する。
【００１４】
以下、本発明の実施の形態について図面を参照しながら説明する。
【００１５】
（実施の形態１）
図１は、本発明実施の形態における手乾燥装置の構成を表す図である。
【００１６】
図１に示すように、手乾燥装置本体１は、上部に向かって開口した挿入口２と挿入口２から手を抜き差しできる乾燥室３とを備えている。乾燥室３の底部には、乾燥室３内に飛散した水を受ける水受部４を備えている。手乾燥装置本体１の内部には、空気を送出する送風手段としての電動送風機５と、挿入口２の長手方向の二面であって、奥側の面と手前側の面に対向して複数列を配置して、挿入された手に空気を噴出するノズル６を備えている。
【００１７】
ノズル６は、開口を小さくすることで風速を速くした第一のノズル７と、開口を大きくすることで第一のノズル７より風速を遅くし、第一のノズル７より下方に配置した第二のノズル８とで構成している。また、奥側のノズル６に合わせて、挿入口２に挿入された手との距離を検知する奥側の距離検知手段９を配置している。さらに、奥側のシャッター板１１と手前側のシャッター板１２と、連動板１３と、軸支点１４とを設けて、乾燥室３に噴出する空気の風速を制御する風速制御手段１０を配置している。
【００１８】
距離判定部１５は、挿入された手と奥側の距離検知手段９との距離と予め設定された基準とを評価し、その結果を「奥側」、「手前側」の２段階で段階的に評価し、この評価に応じて電動送風機５を駆動するとともに、第一のノズル７と第二のノズル８の切り替えをすることにより風速を制御するものである。
【００１９】
奥側の距離検知手段９は、例えば、超音波センサーにより、センサヘッドから超音波を発信し、手で反射してくる超音波を再度センサヘッドで受信し、この音波の発信から受信までの時間を計測することで手とセンサヘッドとの距離を計測するものである。
【００２０】
図２は、本発明実施の形態における手乾燥装置の構成を表すブロック図である。
【００２１】
図２に示すように、制御部１７は、奥側の距離検知手段９から得た情報により距離を判別する距離判定部１５と、距離判定部１５の結果に基づいて風速制御手段１０を駆動する風速制御部１６とを備えている。
【００２２】
距離判定部１５は、奥側の距離検知手段９に対向した手との距離と予め設定された基準とを評価し、その結果を「奥側」、「手前側」の２段階で評価する評価手段１８を備えている。
【００２３】
風速制御部１６は、評価手段１８の評価の結果に基づいて、風速制御手段１０を駆動させ、第一のノズル７と第二のノズル８とを切り替える信号を生成するものである。
【００２４】
図３は、本発明実施の形態における手乾燥装置の風速制御手段の構成を示す図である。
【００２５】
図３に示すように、風速制御手段１０は、挿入口２の長手方向の二面であって、奥側の面と手前側の面に対向して、開口を小さくすることで風速を速くし、列状に並んで形成された第一のノズル７と、開口を大きくすることで第一のノズル７より風速を遅くし、列状に並んで形成された第二のノズル８とを複数列に配置し、それらのノズルを覆うように配置された奥側のシャッター板１１と手前側のシャッター板１２と、これらのシャッター板を上下逆方向に移動させる連動板１３と、この連動板を回動できるように中央で軸支する軸支点１４とを設けるものである。「奥側」に近い場合は、図３（ａ）に示すように、奥側のシャッター板１１を上方に上げることで、第一のノズル７を閉じ、第二のノズル８を開けることにより、奥側の風速を遅くし、また、対にした手前側では、軸支点１４に回動自在に軸支された連動板１３により、図３（ｂ）に示すように、手前側のシャッター板１２が下方に下がることで、第一のノズル７と第二のノズル８の状態が逆の状態に切り替わることにより、手前側の風速が速くなるものである。また、「手前側」に近い場合は、図３（ｂ）に示すように、奥側のシャッター板１１を下方に下げることで、第一のノズル７を開け、第二のノズル８を閉じることにより、風速を速くし、また、対にした手前側では、連動板１３により、図３（ａ）に示すように、手前側のシャッター板１２が上方に上がることで、第一のノズル７と第二のノズル８の状態が逆の状態に切り替わることにより、風速が遅くなるものである。
【００２６】
このような構成によれば、奥側の距離検知手段９は、手が挿入されると、手との距離を検知し、距離判定部１５は、奥側の距離検知手段９に対向した手との距離を評価手段１８によって、挿入された手と奥側の距離検知手段９との距離と予め設定された基準とを評価し、評価結果を「奥側」、「手前側」の２段階で段階的に評価し、風速制御部１６は、電動送風機５を駆動するとともに、距離判定部１５の評価に基づいて生成した信号によって、風速制御手段１０を駆動し、第一のノズル７と第二のノズル８の切り替えをすることにより風速を制御するため、適切な風速で運転をし、効率よく乾燥し、水滴飛散の勢いを減少させるという効果を奏する。
【００２７】
さらに、奥側の距離検知手段９は、奥側のシャッター板１１と、手前側のシャッター板１２と、これらのシャッター板を上下逆方向に移動させる連動板１３と、この連動板を回動できるように中央で軸支する軸支点１４とを設け、評価結果が奥側に近い場合は、風速制御部１６の生成した信号により、奥側では風速を遅くし、対にした手前側では風速を速くし、奥側から遠い場合では、風速制御部１６の生成した信号により、奥側では風速を速くし、対にした手前側では風速を遅くすることにより、適切な風速で運転をし、水滴飛散の勢いを減少し、そして、奥側の距離検知手段９のみを配置するため、コストを低減させるという効果を奏する。
【００２８】
以上のように、挿入された手との距離と予め設定された基準とを比較し、評価結果の「奥側」、「手前側」に応じて風速を制御するため、無駄がなく、適切な風速で運転をし、効率よく乾燥し、水滴飛散の勢いを減少させるという効果がある。
【００２９】
なお、本実施の形態において、奥側の距離検知手段９として超音波センサーを設けたが、赤外線センサーやサーモパイルとしても良い。風速制御手段１０として軸支点にステッピングモータ、或は、連動板に連動板を上下に移動可能な電磁ソレノイドを設けることで、奥側のシャッター板１１と手前側のシャッター板１２を上下に移動させることができる。
【産業上の利用可能性】
【００３０】
本発明にかかる手乾燥装置は、挿入された手と本体との距離に応じて運転風速を制御するものであり、洗面所やトイレ等で手を洗い、濡れた手を乾燥させる手乾燥装置として有用である。
【符号の説明】
【００３１】
１  手乾燥装置本体
２  挿入口
３  乾燥室
４  水受部
５  電動送風機
６  ノズル
７  第一のノズル
８  第二のノズル
９  奥側の距離検知手段
１０  風速制御手段
１１  奥側のシャッター板
１２  手前側のシャッター板
１３  連動板
１４  軸支点
１５  距離判定部
１６  風速制御部
１７  制御部
１８  評価手段
【図１】
2014144098.tif 000003
【図２】
2014144098.tif 000004
【図３】
2014144098.tif 000005